(57)【要約】      （修正有）【課題】表示装置に表示される表示画面情報に含まれる文字情報に基づく文字を、容易に、ユーザに視認させることが可能な文字表示システムおよびプロジェクタを提供する。【解決手段】文字表示システム１００は、画像を表示する表示部１３と、表示部１３に表示される表示画面情報に含まれる字幕に関する字幕情報を送信する送信部１５と、を含む表示装置と、投影部２５と、送信部１５から送信された字幕情報を受信する受信部２１と、受信した字幕情報に基づく字幕を投影部２５により投影する制御を行う制御部２６と、を含むプロジェクタ２０と、を備える。【選択図】図１
2015192280.tif 000002
【特許請求の範囲】
【請求項１】
画像を表示する表示部と、前記表示部に表示される表示画面情報に含まれる文字に関する文字情報を送信する送信部と、を含む表示装置と、
投影部と、前記送信部から送信された前記文字情報を受信するプロジェクタ側受信部と、受信した前記文字情報に基づく文字を前記投影部により投影する制御を行う制御部と、を含むプロジェクタと、を備える、文字表示システム。
【請求項２】
前記表示装置は、放送波を受信する表示装置側受信部をさらに含み、
前記表示装置の前記送信部は、前記放送波の放送番組の前記表示画面情報に含まれる前記文字情報を送信するように構成されており、
前記プロジェクタは、前記文字情報に基づく文字を前記投影部により前記表示装置の前記表示部周辺の背景領域に投影するように構成されている、請求項１に記載の文字表示システム。
【請求項３】
前記文字情報は、前記放送番組の字幕に関する字幕情報を含み、
前記プロジェクタの前記制御部は、前記プロジェクタ側受信部により受信した前記字幕情報に基づく字幕を前記投影部により投影する制御を行うように構成されている、請求項２に記載の文字表示システム。
【請求項４】
前記表示装置の前記送信部は、可視光を用いて前記文字情報を送信するように構成されている、請求項１〜３のいずれか１項に記載の文字表示システム。
【請求項５】
前記表示装置の前記送信部は、前記表示装置の状態を可視光により示す状態表示部により構成されている、請求項４に記載の文字表示システム。
【請求項６】
前記プロジェクタの前記制御部は、受信した前記文字情報に基づいて音声情報を作成するとともに、作成した音声情報に基づく音声を出力する制御を行うように構成されている、請求項１〜５のいずれか１項に記載の文字表示システム。
【請求項７】
前記プロジェクタの前記制御部は、受信した前記文字情報における文字の大きさを大きくして前記投影部により投影する制御を行うように構成されている、請求項１〜６のいずれか１項に記載の文字表示システム。
【請求項８】
前記プロジェクタは、記憶部をさらに含み、
前記プロジェクタの前記制御部は、前記文字情報を前記記憶部に記憶する制御を行うとともに、ユーザの操作に基づいて、記憶した前記文字情報に基づく文字を前記投影部により投影する制御を行うように構成されている、請求項１〜７のいずれか１項に記載の文字表示システム。
【請求項９】
前記文字情報は、複数の言語を含み、
前記プロジェクタの前記制御部は、前記文字情報に基づく前記複数の言語の文字の各々を前記投影部により投影する制御を行うように構成されている、請求項１〜８のいずれか１項に記載の文字表示システム。
【請求項１０】
投影部と、表示装置から送信された前記表示装置の表示部に表示される表示画面情報に含まれる文字に関する文字情報を受信する受信部と、受信した前記文字情報に基づく文字を前記投影部により投影する制御を行う制御部と、を備える、プロジェクタ。
【発明の詳細な説明】
【技術分野】
【０００１】
この発明は、文字表示システムおよびプロジェクタに関し、特に、表示装置を備える文字表示システムおよびこの文字表示システムに用いるプロジェクタに関する。
【背景技術】
【０００２】
従来、表示装置を備える文字表示システムが知られている（たとえば、特許文献１参照）。
【０００３】
上記特許文献１には、字幕番組受信チューナと、字幕番組受信チューナで取り出された字幕情報（文字情報）に基づく字幕（文字）を表示する情報表示装置と、字幕番組受信チューナで取り出された映像信号に基づく映像を映像表示画面に表示するＴＶ受信装置（表示装置）とを備える文字表示システムが開示されている。この文字表示システムでは、情報表示装置は、ＴＶ受信装置の映像表示画面の直下に配置されている。これにより、文字表示システムでは、字幕と映像とを別個の表示装置（ＴＶ受信装置の直下に配置された情報表示装置およびＴＶ受信装置）に表示して、字幕の視認性の向上を図っている。
【先行技術文献】
【特許文献】
【０００４】
【特許文献１】特開２００１−２４９６４号公報
【発明の概要】
【発明が解決しようとする課題】
【０００５】
しかしながら、上記特許文献１に記載の文字表示システムでは、ユーザからＴＶ受信装置の直下に配置された情報表示装置までの距離が遠い場合などに、情報表示装置に表示された字幕を十分にユーザに視認させることができない場合があるという問題点がある。
【０００６】
この発明は、上記のような課題を解決するためになされたものであり、この発明の１つの目的は、表示装置に表示される表示画面情報に含まれる文字情報に基づく文字を、容易に、ユーザに視認させることが可能な文字表示システムおよびプロジェクタを提供することである。
【課題を解決するための手段】
【０００７】
この発明の第１の局面による文字表示システムは、画像を表示する表示部と、表示部に表示される表示画面情報に含まれる文字に関する文字情報を送信する送信部と、を含む表示装置と、投影部と、送信部から送信された文字情報を受信するプロジェクタ側受信部と、受信した文字情報に基づく文字を投影部により投影する制御を行う制御部と、を含むプロジェクタと、を備える。
【０００８】
この発明の第１の局面による文字表示システムでは、上記のように、表示装置から受信した文字情報に基づく文字を投影部により投影する制御を行う制御部を含むプロジェクタを設けることによって、プロジェクタに通常設けられるズーム機能などを用いて、文字情報に基づく文字の大きさを、容易に、大きくすることができる。したがって、ユーザから表示装置までの距離が遠い場合などに、表示装置の表示画面情報に含まれる文字情報に基づく文字を大きく投影することができるので、表示装置に表示される表示画面情報に含まれる文字情報に基づく文字を、容易に、ユーザに視認させることができる。
【０００９】
上記第１の局面による文字表示システムにおいて、好ましくは、表示装置は、放送波を受信する表示装置側受信部をさらに含み、表示装置の送信部は、放送波の放送番組の表示画面情報に含まれる文字情報を送信するように構成されており、プロジェクタは、文字情報に基づく文字を投影部により表示装置の表示部周辺の背景領域に投影するように構成されている。このように構成すれば、リアルタイムに放送される放送波の放送番組の表示画面情報に含まれる文字情報に基づく文字をプロジェクタにより投影することができるので、リアルタイムな放送番組の文字を、容易に、ユーザに視認させることができる。また、文字情報に基づく文字を投影部により表示装置の表示部周辺の背景領域に投影するようにプロジェクタを構成することによって、背景領域以外の領域に投影する場合と異なり、放送番組の表示画面情報に含まれる文字情報に基づく文字を、より容易に、ユーザに視認させることができる。
【００１０】
この場合、好ましくは、文字情報は、放送番組の字幕に関する字幕情報を含み、プロジェクタの制御部は、プロジェクタ側受信部により受信した字幕情報に基づく字幕を投影部により投影する制御を行うように構成されている。このように構成すれば、放送番組の文字情報として用いられることが比較的多い字幕情報に基づく字幕を、確実に、プロジェクタにより投影することができる。
【００１１】
上記第１の局面による文字表示システムにおいて、好ましくは、表示装置の送信部は、可視光を用いて文字情報を送信するように構成されている。このように構成すれば、可視光を用いた文字情報の送信をユーザが視認することができるので、ユーザは、容易に、送信部による文字情報が受信可能な位置にプロジェクタを配置することができる。
【００１２】
この場合、好ましくは、表示装置の送信部は、表示装置の状態を可視光により示す状態表示部により構成されている。このように構成すれば、表示装置が通常備える状態表示部を利用して、文字情報をプロジェクタに送信することができるので、表示装置に文字情報の送信のための送信部を新たに設ける場合と異なり、表示装置の部品点数が増加するのを抑制することができる。
【００１３】
上記第１の局面による文字表示システムにおいて、好ましくは、プロジェクタの制御部は、受信した文字情報に基づいて音声情報を作成するとともに、作成した音声情報に基づく音声を出力する制御を行うように構成されている。ここで、本発明におけるプロジェクタは、表示装置よりもユーザ側に配置されると考えられるので、表示装置がユーザから遠くて表示装置の音声を聞き取りにくい場合にも、ユーザ側に配置されたプロジェクタの音声出力により、ユーザは、容易に、音声を聞き取ることができる。
【００１４】
上記第１の局面による文字表示システムにおいて、好ましくは、プロジェクタの制御部は、受信した文字情報における文字の大きさを大きくして投影部により投影する制御を行うように構成されている。このように構成すれば、受信した文字情報における文字の大きさよりも、文字の大きさを大きくすることができるので、文字情報における文字の大きさのまま文字が投影される場合と比べて、より容易に、ユーザに文字を視認させることができる。
【００１５】
上記第１の局面による文字表示システムにおいて、好ましくは、プロジェクタは、記憶部をさらに含み、プロジェクタの制御部は、文字情報を記憶部に記憶する制御を行うとともに、ユーザの操作に基づいて、記憶した文字情報に基づく文字を投影部により投影する制御を行うように構成されている。このように構成すれば、ユーザが離席するなどして一時的に文字情報に基づく文字を見逃した場合に、ユーザの操作に基づいて、記憶した文字情報に基づく文字を投影部により投影することができるので、ユーザは見逃した文字情報に基づく文字を確認することができる。
【００１６】
上記第１の局面による文字表示システムにおいて、好ましくは、文字情報は、複数の言語を含み、プロジェクタの制御部は、文字情報に基づく複数の言語の文字の各々を投影部により投影する制御を行うように構成されている。このように構成すれば、複数のユーザの所望する言語が異なる場合に、文字情報に基づく複数の言語の文字の各々を投影部により同時に投影することができるので、１つの言語の文字のみを投影する場合と異なり、ユーザの所望する言語の文字情報を適切に提供することができる。また、複数の言語の文字の各々を表示装置の表示画面上に表示せずに表示画面外に投影すれば、複数の言語の文字のい各々を表示（投影）しても表示装置の表示画面が見にくくなることがない。
【００１７】
この発明の第２の局面によるプロジェクタは、投影部と、表示装置から送信された表示装置の表示部に表示される表示画面情報に含まれる文字に関する文字情報を受信する受信部と、受信した文字情報に基づく文字を投影部により投影する制御を行う制御部と、を備える。
【００１８】
この発明の第２の局面によるプロジェクタでは、上記のように、表示装置から受信した文字情報に基づく文字を投影部により投影する制御を行う制御部を設けることによって、プロジェクタに通常設けられるズーム機能などを用いて、文字情報に基づく文字の大きさを、容易に、大きくすることができる。したがって、ユーザから表示装置までの距離が遠い場合などに、表示装置の表示画面情報に含まれる文字情報に基づく文字を大きく投影することができるので、表示装置に表示される表示画面情報に含まれる文字情報に基づく文字を、容易に、ユーザに視認させることができる。
【発明の効果】
【００１９】
本発明によれば、上記のように、表示装置に表示される表示画面情報に含まれる文字情報に基づく文字を、容易に、ユーザに視認させることが可能な文字表示システムおよびプロジェクタを提供することができる。
【図面の簡単な説明】
【００２０】
【図１】本発明の第１実施形態による文字表示システムの全体構成を示す模式図である。
【図２】本発明の第１実施形態による文字表示システムの全体構成を示すブロック図である。
【図３】本発明の第１実施形態による文字表示システムの字幕情報再提供処理を説明するためのフローチャートである。
【図４】本発明の第２実施形態による文字表示システムの字幕の大きさの変更を説明するための図である。
【図５】本発明の第２実施形態による文字表示システムの字幕の大きさ変更処理を説明するためのフローチャートである。
【図６】本発明の第３実施形態による文字表示システムの複数の言語の文字が投影された状態を説明するための図である。
【図７】本発明の第３実施形態による文字表示システムの字幕選択表示処理を説明するためのフローチャートである。
【図８】本発明の第４実施形態による文字表示システムの全体構成を示すブロック図である。
【図９】本発明の第４実施形態による文字表示システムの音声出力処理を説明するためのフローチャートである。
【図１０】本発明の第１〜第４実施形態の変形例による文字表示システムを説明するための図である。
【発明を実施するための形態】
【００２１】
以下、本発明を具体化した実施形態を図面に基づいて説明する。
【００２２】
（第１実施形態）
図１および図２を参照して、本発明の第１実施形態による文字表示システム１００の構成について説明する。
【００２３】
本発明の第１実施形態による文字表示システム１００は、図１に示すように、テレビジョン装置１０と、プロジェクタ２０とを備えている。なお、テレビジョン装置１０は、本発明の「表示装置」の一例である。
【００２４】
この文字表示システム１００では、テレビジョン装置１０は、放送波を受信するとともに、放送波の放送番組の表示画面情報に含まれる字幕（文字列）に関する字幕情報をプロジェクタ２０に送信するように構成されている。また、文字表示システム１００では、プロジェクタ２０は、字幕情報を受信した場合には、字幕情報に基づく字幕をテレビジョン装置１０の後述する表示部１３周辺の上方の背景領域９０に投影するように構成（配置）されている。なお、背景領域９０としては、屋内の壁、または、スクリーンなどが用いられる。
【００２５】
ここで、字幕に関する字幕情報は、テレビジョン装置１０側でユーザにより表示部１３に表示される映像に重なるように字幕を表示するか表示しないかを切り替えることができる字幕（クローズドキャプション）に関する字幕情報、および、テレビジョン装置１０側でユーザにより表示部１３に表示される映像に重なるように字幕を表示するか表示しないかを切り替えることができない字幕（オープンキャプション）に関する字幕情報を含んでいる。なお、字幕に関する字幕情報は、本発明の「文字に関する文字情報」の一例である。以下、各構成要素の具体的な構成について説明する。
【００２６】
まず、テレビジョン装置１０は、図２に示すように、受信部１１と、復調部１２と、表示部１３と、変調部１４と、送信部１５と、記憶部１６と、制御部１７とを含んでいる。なお、受信部１１は、本発明の「表示装置側受信部」の一例である。
【００２７】
受信部１１は、チューナを含み、表示部１３に表示される映像を生成するための表示画面情報を含む放送波を無線または有線で受信するように構成されている。なお、上記したように、表示画面情報は、字幕情報を含んでいる。
【００２８】
復調部１２は、受信部１１により受信された表示画面情報を含む放送波を復調するとともに、デジタル信号として、表示部１３に出力するように構成されている。そして、表示部１３では、入力された表示画面情報に基づいて生成された放送番組などの映像（画像）が表示される。
【００２９】
変調部１４は、制御部１７の制御に基づいて、送信部１５の送信に適した信号になるように字幕情報を変調して、送信部１５に出力するように構成されている。
【００３０】
ここで、第１実施形態では、送信部１５は、可視光を用いてプロジェクタ２０に字幕情報を送信するように構成されている。また、送信部１５は、テレビジョン装置１０への電力供給の状態（オン状態およびオフ状態などの状態）を可視光により示す状態表示部により構成されている。また、状態表示部としての送信部１５は、１または複数の色の可視光を発光可能なＬＥＤ光源を有している。また、状態表示部としての送信部１５は、１または複数の色の可視光を発光可能なＬＥＤ光源のうち、テレビジョン装置１０のオン状態を示す色のＬＥＤ光源により、プロジェクタ２０に字幕情報を送信するように構成されている。
【００３１】
記憶部１６は、不揮発性のメモリであるＲＯＭおよび揮発性のメモリであるＲＡＭを含んでいる。記憶部１６は、制御部１７により用いられる各種のデータおよびプログラムなどが格納されるように構成されている。
【００３２】
制御部１７は、テレビジョン装置１０の各構成要素を制御するように構成されている。詳細には、制御部１７は、受信部１１により受信した放送波のうちから、字幕情報を取得するとともに、取得した字幕情報をプロジェクタ２０に送信する制御を行うように構成されている。
【００３３】
次に、プロジェクタ２０は、受信部２１と、復調部２２と、操作部２３と、記憶部２４と、投影部２５と、制御部２６とを含んでいる。なお、受信部２１は、本発明の「プロジェクタ側受信部」の一例である。
【００３４】
受信部２１は、可視光の受光素子としてフォトダイオードを含んでいる。また、受信部２１は、テレビジョン装置１０の送信部１５から送信される可視光をフォトダイオードにより受光することによって、字幕情報を受信するように構成されている。また、受信部２１は、受信した字幕情報を復調部２２に出力するように構成されている。
【００３５】
復調部２２は、テレビジョン装置１０の変調部１４により変調された字幕情報を復調して、制御部２６に出力するように構成されている。
【００３６】
操作部２３は、プロジェクタ２０の本体に設けられた機械的な操作ボタン、または、プロジェクタ２０に付随するリモコン装置を含んでいる。また、操作部２３は、ユーザによるプロジェクタ２０の操作を受付するように構成されている。
【００３７】
記憶部２４は、不揮発性のメモリであるＲＯＭおよび揮発性のメモリであるＲＡＭを含んでいる。記憶部２４は、制御部２６により用いられる各種のデータおよびプログラムなどが格納されるように構成されている。詳細には、記憶部２４は、受信部２１により受信した字幕情報および後述する字幕情報再提供処理に対応するプログラムなどが格納されるように構成されている。
【００３８】
投影部２５は、ＲＧＢ（赤、緑、青）の３つのレーザ光源と、ＭＥＭＳ（Ｍｉｃｒｏ  Ｅｌｅｃｔｒｏ  Ｍｅｃｈａｎｉｃａｌ  Ｓｙｓｔｅｍ）ミラーにより構成されるレーザ光走査部とを含んでいる。また、投影部２５は、レーザ光源から照射されたレーザ光（投影光）をレーザ光走査部により反射させることにより、レーザ光（投影光）を走査して、少なくとも字幕情報に基づく字幕（図１参照）を投影するように構成されている。
【００３９】
制御部２６は、プロジェクタ２０の各構成要素を制御するように構成されている。
【００４０】
また、第１実施形態では、制御部２６は、受信部２１により受信した字幕情報に基づく字幕を投影部２５により投影する制御を行うように構成されている。具体的には、制御部２６は、テレビジョン装置１０の表示部１３に表示される映像に合わせて（同期させて）、字幕情報に基づき、表示部１３に表示される映像に対応する字幕を投影部２５により投影する制御を行うように構成されている。ここで、字幕情報がテレビジョン装置１０側でユーザにより表示部１３に表示される映像に重なるように字幕を表示するか表示しないかを切り替えることができる字幕（クローズドキャプション）に関する字幕情報である場合には、テレビジョン装置１０の表示部１３に表示される映像に字幕を重ねて表示させることなく、プロジェクタ２０の投影部２５により字幕を表示部１３周辺の背景領域９０に投影することが可能である。その結果、表示部１３に表示される映像と字幕とが重ならないので、表示部１３に表示される映像と、表示部１３外に投影される字幕との両方を、より一層容易に、ユーザに視認させることが可能である。
【００４１】
ここで、テレビジョン装置１０を視聴するユーザのうちには、視聴の最中に一時的に離席するユーザもいると考えられる。この場合、離席したユーザは、離席した間の映像および字幕を見ることができない。
【００４２】
そこで、制御部２６は、字幕情報を記憶部２４に記憶する制御を行うとともに、ユーザの操作に基づいて、記憶した字幕情報に基づく字幕を投影部２５により投影する制御（字幕情報再提供処理）を行うように構成されている。
【００４３】
次に、図３を参照して、上記した字幕情報再提供処理について、フローチャートに基づいて説明する。
【００４４】
まず、図３に示すように、ステップＳ１において、記憶開始操作が制御部２６（図２参照）により受付される。具体的には、ユーザが記憶開始操作を操作部２３（図２参照）を用いて行うことによって、記憶開始操作が制御部２６により受付される。なお、記憶開始操作は、記憶部２４による記憶を開始するための操作である。
【００４５】
そして、ステップＳ２において、字幕情報の記憶を開始する制御が制御部２６により行われる。具体的には、受信部２１（図２参照）により受信している字幕情報を記憶部２４（図２参照）に記憶する制御が制御部２６により開始される。なお、この際、投影部２５による字幕の投影を中止してもよいし、継続してもよい。
【００４６】
そして、ステップＳ３において、記憶終了操作を受け付けたか否かが制御部２６により判定される。記憶終了操作は、操作部２３を用いてユーザにより行われる操作であり、記憶部２４による記憶を終了するための操作である。記憶終了操作を受け付けていないと判定された場合には、ステップＳ３の処理を繰り返して、字幕情報の記憶が継続される。また、ステップＳ３において、記憶終了操作を受け付けたと判定された場合には、ステップＳ４に進む。
【００４７】
そして、ステップＳ４において、字幕情報の記憶を終了する制御が制御部２６により行われる。具体的には、受信部２１により受信している字幕情報を記憶部２４に記憶する制御が制御部２６により終了される。ここで、投影部２５による字幕の投影を中止している場合には、投影が再開される。
【００４８】
そして、ステップＳ５において、字幕情報再提供操作を受け付けたか否かが制御部２６により判定される。字幕情報再提供操作は、操作部２３を用いてユーザにより行われる操作であり、記憶した字幕情報に基づく字幕を投影するための操作である。字幕情報再提供操作を受け付けていないと判定された場合には、ステップＳ２〜Ｓ４の間に記憶した字幕情報に基づく字幕を投影することなく、字幕情報再提供処理が終了される。また、ステップＳ５において、字幕情報再提供操作を受け付けたと判定された場合には、ステップＳ６に進む。
【００４９】
そして、ステップＳ６において、記憶した字幕情報に基づく字幕を投影する制御が制御部２６により行われる。具体的には、ステップＳ２〜Ｓ４の処理の間に記憶部２４に記憶した字幕情報に基づく字幕を投影部２５により投影する制御が制御部２６により行われる。この際、表示部１３に表示されている映像に対応する字幕が投影される領域の一部を、記憶した字幕情報に基づく字幕を投影する領域として用いる。これにより、視聴の最中に一時的に離席したとしても、離席した間の字幕（記憶した字幕情報に基づく字幕）を見ることが可能である。
【００５０】
第１実施形態では、以下のような効果を得ることができる。
【００５１】
第１実施形態では、上記のように、テレビジョン装置１０から受信した字幕情報に基づく字幕を投影部２５により投影する制御を行う制御部２６を含むプロジェクタ２０を設けることによって、プロジェクタ２０に通常設けられるズーム機能などを用いて、字幕情報に基づく字幕の大きさを、容易に、大きくすることができる。したがって、ユーザからテレビジョン装置１０までの距離が遠い場合などに、テレビジョン装置１０の表示部１３に表示される表示画面情報に含まれる字幕情報に基づく字幕を大きく投影することができるので、テレビジョン装置１０に表示される表示画面情報に含まれる字幕情報に基づく字幕を、容易に、ユーザに視認させることができる。
【００５２】
また、第１実施形態では、上記のように、放送波の放送番組の表示画面情報に含まれる字幕情報を送信するようにテレビジョン装置１０の送信部１５を構成する。そして、文字情報に基づく文字を投影部２５によりテレビジョン装置１０の表示部１３周辺の背景領域９０に投影するようにプロジェクタ２０を構成（配置）する。これにより、リアルタイムに放送される放送波の放送番組の表示画面情報に含まれる字幕情報に基づく字幕をプロジェクタ２０により投影することができるので、リアルタイムな放送番組の字幕を、容易に、ユーザに視認させることができる。また、字幕情報に基づく字幕を投影部２５によりテレビジョン装置１０の表示部１３周辺の背景領域９０に投影するプロジェクタ２０を構成（配置）することによって、背景領域９０以外の領域に投影する場合と異なり、放送番組の表示画面情報に含まれる字幕情報に基づく字幕を、より容易に、ユーザに視認させることができる。
【００５３】
また、第１実施形態では、上記のように、受信部２１により受信した字幕情報に基づく字幕を投影部２５により投影する制御を行うようにプロジェクタ２０の制御部２６を構成する。これにより、放送番組の字幕情報として用いられることが比較的多い字幕情報に基づく字幕を、確実に、プロジェクタ２０により投影することができる。
【００５４】
また、第１実施形態では、上記のように、可視光を用いて字幕情報を送信するようにテレビジョン装置１０の送信部１５を構成する。これにより、可視光を用いた字幕情報の送信をユーザが視認することができるので、ユーザは、容易に、送信部１５による字幕情報が受信可能な位置にプロジェクタ２０を配置することができる。
【００５５】
また、第１実施形態では、上記のように、テレビジョン装置１０への電力の供給状態を可視光により示す状態表示部によりテレビジョン装置１０の送信部１５を構成する。これにより、テレビジョン装置１０が通常備える状態表示部を利用して、字幕情報をプロジェクタ２０に送信することができるので、テレビジョン装置１０に字幕情報の送信のための送信部１５を新たに設ける場合と異なり、テレビジョン装置１０の部品点数が増加するのを抑制することができる。
【００５６】
また、第１実施形態では、上記のように、字幕情報を記憶部２４に記憶する制御を行うとともに、ユーザの操作に基づいて、記憶した字幕情報に基づく字幕を投影部２５により投影する制御を行うようにプロジェクタ２０の制御部２６を構成する。これにより、ユーザが離席するなどして一時的に字幕情報に基づく字幕を見逃した場合に、ユーザの操作に基づいて、記憶した字幕情報に基づく字幕を投影部２５により投影することができるので、ユーザは見逃した字幕情報に基づく字幕を確認することができる。
【００５７】
（第２実施形態）
次に、図２、図４および図５を参照して、第２実施形態について説明する。この第２実施形態では、上記第１実施形態の構成に加えて、さらに字幕情報における字幕の大きさを大きくする字幕の大きさ変更処理を制御部１２６により行う例について説明する。
【００５８】
本発明の第２実施形態による文字表示システム２００は、図２に示すように、字幕情報における字幕（文字列）の大きさを大きくする字幕の大きさ変更処理を行う制御部１２６を含むプロジェクタ１２０を備えている。なお、上記第１実施形態と同一の構成については、同じ符号を付してその説明を省略する。
【００５９】
第２実施形態では、制御部１２６は、図４に示すように、受信した字幕情報における字幕の大きさを予め設定された所定の倍率だけ大きくして投影部２５により投影する制御（字幕の大きさ変更処理）を行うように構成されている。
【００６０】
次に、図５を参照して、上記した字幕の大きさ変更処理について、フローチャートに基づいて説明する。
【００６１】
まず、図５に示すように、ステップＳ１１において、字幕の大きさ変更操作が制御部１２６（図２参照）により受付される。具体的には、ユーザが字幕の大きさ変更操作を操作部２３（図２参照）を用いて行うことによって、字幕の大きさ変更操作が制御部１２６により受付される。なお、字幕の大きさ変更操作は、字幕の大きさを変更するか否かを切り替えるための操作である。この字幕の大きさ変更操作には、字幕の大きさ変更処理をオンにする操作と、オフにする操作とが含まれる。
【００６２】
そして、ステップＳ１２において、字幕の大きさ変更処理を行うか否かが制御部１２６により判定される。ステップＳ１１において、字幕の大きさ変更処理をオフにする操作が受付されている場合には、ステップＳ１２において、字幕の大きさ変更処理を行わないと判定されて、ステップＳ１４に進む。また、ステップＳ１１において、字幕の大きさ変更処理をオンにする操作が受付されている場合には、ステップＳ１２において、字幕の大きさ変更処理を行うと判定されて、ステップＳ１３に進む。
【００６３】
そして、ステップＳ１３において、字幕の大きさを大きくする制御が制御部１２６により行われる。具体的には、図４に示すように、字幕情報における字幕の大きさから所定の倍率だけ字幕の大きさを大きくする制御が制御部１２６により行われる。
【００６４】
そして、ステップＳ１４において、字幕情報に基づく字幕を投影する制御が制御部１２６により行われる。具体的には、字幕の大きさの変更処理が行われていない場合には、字幕情報における字幕の大きさの字幕を投影部２５により投影する制御が、字幕の大きさの変更処理が行われている場合には、字幕情報における字幕の大きさよりも大きい字幕を投影部２５により投影する制御が制御部１２６により行われる。その後、字幕の大きさの変更処理が終了される。
【００６５】
なお、第２実施形態のその他の構成は、上記第１実施形態と同様である。
【００６６】
第２実施形態では、以下のような効果を得ることができる。
【００６７】
第２実施形態では、上記のように、テレビジョン装置１０から受信した字幕情報に基づく字幕を投影部２５により投影する制御を行う制御部１２６を含むプロジェクタ１２０を設けることによって、上記第１実施形態と同様に、テレビジョン装置１０の表示画面情報に含まれる字幕情報に基づく字幕を、容易に、ユーザに視認させることができる。
【００６８】
また、第２実施形態では、上記のように、受信した字幕情報における字幕の大きさを大きくして投影部２５により投影する制御を行うようにプロジェクタ１２０の制御部１２６を構成する。これにより、受信した字幕情報における字幕の大きさよりも、字幕の大きさを大きくすることができるので、字幕情報における字幕の大きさのまま字幕が投影される場合と比べて、より容易に、ユーザに字幕を視認させることができる。
【００６９】
なお、第２実施形態のその他の効果は、上記第１実施形態と同様である。
【００７０】
（第３実施形態）
次に、図２、図６および図７を参照して、第３実施形態について説明する。この第３実施形態では、上記第２実施形態の構成に加えて、字幕情報に複数の言語が含まれる場合に、複数の言語のうち選択された言語の字幕を投影する字幕選択表示処理を制御部２２６により行う例について説明する。
【００７１】
本発明の第３実施形態による文字表示システム３００は、図２に示すように、複数の言語のうち選択された言語の字幕を投影する字幕選択表示処理を行う制御部２２６を含むプロジェクタ２２０を備えている。なお、上記第１および第２実施形態と同一の構成については、同じ符号を付してその説明を省略する。
【００７２】
ここで、字幕情報には、たとえば日本語および英語などの複数の言語が含まれている場合がある。また、ユーザによって字幕を所望する言語が異なる場合があると考えられる。
【００７３】
第３実施形態では、制御部２２６は、字幕情報に複数の言語が含まれる場合には、ユーザの操作に基づいて選択された言語の字幕情報に基づく字幕を、投影部２５により投影する制御（字幕選択表示処理）を行うように構成されている。また、制御部２２６は、図６に示すように、ユーザの操作に基づいて複数の言語が選択された場合には、字幕情報に基づく複数の言語の字幕の各々を投影部２５により投影する制御を行うように構成されている。
【００７４】
図６では、ユーザの操作に基づいて日本語としての第１言語および英語としての第２言語が選択された場合を示している。この場合、第１言語（日本語）と第２言語（英語）との両方の字幕を投影する制御が制御部２２６により行われる。なお、図６では、２つの言語を投影する制御を行う例について示したが、投影する言語は２つに限られない。３つ以上の言語が選択された場合には、３つ以上の言語の字幕を投影する制御が行われる。
【００７５】
次に、図７を参照して、上記した字幕選択表示処理について、フローチャートに基づいて説明する。
【００７６】
まず、図７に示すように、ステップＳ２１において、字幕選択表示操作が制御部２２６（図２参照）により受付される。具体的には、ユーザが字幕選択表示操作を操作部２３（図２参照）を用いて行うことによって、字幕選択表示操作が制御部２２６により受付される。なお、字幕選択表示操作は、字幕選択表示処理を開始するための操作である。
【００７７】
そして、ステップＳ２２において、選択可能な言語を提示する制御が制御部２２６により行われる。具体的には、字幕情報に含まれる言語を、プロジェクタ２２０（図２参照）の図示しない表示部に表示する方法、または、投影部２５（図２参照）により投影する方法などの方法によって、選択可能な言語をユーザに対して提示する制御が制御部２２６によって行われる。
【００７８】
そして、ステップＳ２３において、言語選択操作が制御部２２６により受付される。具体的には、ユーザが言語選択操作を操作部２３を用いて行うことによって、言語選択操作が制御部２２６により受付される。なお、言語選択操作は、ステップＳ２２において提示された言語のうちから、字幕として投影する言語を選択する操作である。
【００７９】
そして、ステップＳ２４において、選択された言語の字幕を投影する制御が制御部２２６により行われる。具体的には、１つの言語のみが選択されている場合には、選択された１つの言語を投影する制御が、複数の言語が選択されている場合には、選択された複数の言語を投影する制御が制御部２２６により行われる。その後、字幕選択表示処理が終了される。
【００８０】
なお、第３実施形態のその他の構成は、上記第２実施形態と同様である。
【００８１】
第３実施形態では、以下のような効果を得ることができる。
【００８２】
第３実施形態では、上記のように、テレビジョン装置１０から受信した字幕情報に基づく字幕を投影部２５により投影する制御を行う制御部２２６を含むプロジェクタ２２０を設けることによって、上記第１実施形態と同様に、テレビジョン装置１０の表示画面情報に含まれる字幕情報に基づく字幕を、容易に、ユーザに視認させることができる。
【００８３】
また、第３実施形態では、上記のように、字幕情報に基づく複数の言語の字幕の各々を投影部２５により投影する制御を行うようにプロジェクタ２２０の制御部２２６を構成する。これにより、複数のユーザの所望する言語が異なる場合に、字幕情報に基づく複数の言語の字幕の各々を投影部２５により同時に投影することができるので、１つの言語の字幕のみを投影する場合と異なり、ユーザの所望する言語の字幕情報を適切に提供することができる。また、複数の言語の文字の各々をテレビジョン装置１０の表示画面上に表示せずに表示画面外に投影するので、複数の言語の文字の各々を表示（投影）してもテレビジョン装置１０の表示画面が見にくくなることがない。
【００８４】
なお、第３実施形態のその他の効果は、上記第２実施形態と同様である。
【００８５】
（第４実施形態）
次に、図８および図９を参照して、第４実施形態について説明する。この第４実施形態では、上記第３実施形態の構成に加えて、字幕情報に基づく音声情報による音声を出力する音声出力処理を制御部３２６により行う例について説明する。
【００８６】
本発明の第４実施形態による文字表示システム４００は、図８に示すように、字幕情報に基づく音声情報による音声を出力する音声出力処理を行う制御部３２６と、制御部３２６の制御に基づいて音声を出力する音声出力部３２７とを含むプロジェクタ３２０を備えている。なお、上記第１〜第３実施形態と同一の構成については、同じ符号を付してその説明を省略する。
【００８７】
第４実施形態では、制御部３２６は、受信した字幕情報に基づいて音声情報を作成するとともに、作成した音声情報に基づく音声を音声出力部３２７により出力する制御（音声出力処理）を行うように構成されている。具体的には、制御部３２６は、受信した字幕情報に基づいて、字幕情報に基づく字幕に対応する音声を音声出力部３２７により出力可能なように、音声情報を作成するように構成されている。また、制御部３２６は、音声出力部３２７により音声を出力する制御を行う際に、投影部２５により字幕を投影する制御も合わせて行うことが可能なように構成されている。
【００８８】
音声出力部３２７は、外部に対して音声情報を出力する端子を含んでいる。音声出力部３２７は、イヤホンまたはヘッドホンなどの音声出力装置と接続された場合には、接続された音声出力装置に対して音声情報を出力するように構成されている。これにより、イヤホンまたはヘッドホンなどの音声出力装置を介して、音声情報に基づく音声が出力される。
【００８９】
次に、図９を参照して、上記した音声出力処理について、フローチャートに基づいて説明する。
【００９０】
まず、図９に示すように、ステップＳ３１において、音声出力操作が制御部３２６（図８参照）により受付される。具体的には、ユーザが音声出力操作を操作部２３（図８参照）を用いて行うことによって、音声出力操作が制御部３２６により受付される。なお、音声出力操作は、音声出力処理を開始するための操作である。
【００９１】
そして、ステップＳ３２において、音声情報が制御部３２６により作成される。具体的には、受信した字幕情報に基づいて、字幕情報に基づく字幕に対応する音声を音声出力部３２７により出力可能なように、音声情報が制御部３２６により作成される。
【００９２】
そして、ステップＳ３３において、音声情報に基づく音声を出力する制御が制御部３２６により行われる。具体的には、ステップＳ３２において作成した音声情報に基づく音声を音声出力部３２７により外部の音声出力装置に出力する制御が制御部３２６により行われる。その後、音声出力処理が終了される。
【００９３】
なお、第４実施形態のその他の構成は、上記第３実施形態と同様である。
【００９４】
第４実施形態では、以下のような効果を得ることができる。
【００９５】
第４実施形態では、テレビジョン装置１０から受信した字幕情報に基づく字幕を投影部２５により投影する制御を行う制御部３２６を含むプロジェクタ３２０を設けることによって、上記第１実施形態と同様に、テレビジョン装置１０の表示画面情報に含まれる字幕情報に基づく字幕を、容易に、ユーザに視認させることができる。
【００９６】
また、第４実施形態では、上記のように、受信した字幕情報に基づいて音声情報を作成するとともに、作成した音声情報に基づく音声を出力する制御を行うようにプロジェクタ３２０の制御部３２６を構成する。ここで、本発明におけるプロジェクタ３２０は、テレビジョン装置１０よりもユーザ側に配置されると考えられるので、テレビジョン装置１０がユーザから遠くてテレビジョン装置１０の音声を聞き取りにくい場合にも、ユーザ側に配置されたプロジェクタ３２０の音声出力により、ユーザは、容易に、音声を聞き取ることができる。
【００９７】
なお、第４実施形態のその他の効果は、上記第３実施形態と同様である。
【００９８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００９９】
たとえば、上記第１〜第４実施形態では、文字に関する文字情報の一例として字幕情報を用いた例を示したが、本発明はこれに限られない。本発明では、字幕情報以外の文字情報が用いられてもよい。たとえば、図１０に示す第１〜第４実施形態の変形例のように、文字情報として、電子番組表に含まれる文字情報を用いてもよい。この場合、プロジェクタでは、テレビジョン装置から電子番組表に含まれる番組名および番組説明文などの文字情報を受信して、受信した文字情報に基づいて簡易的な番組表が作成される。そして、プロジェクタでは、作成した簡易的な番組表が投影部により背景領域に投影される。このように構成すれば、テレビジョン装置の表示部に電子番組表を表示させることなく、プロジェクタにより番組表を投影させることが可能である。したがって、テレビジョン装置の表示部に表示される映像を中断させることなく、番組表を確認することが可能である。
【０１００】
また、上記第１〜第４実施形態では、テレビジョン装置１０が字幕情報を放送波から受信（取得）した例を示したが、本発明はこれに限られない。本発明では、テレビジョン装置が字幕情報を放送波以外から取得してもよい。たとえば、ＤＶＤまたはハードディスクなどの記憶媒体に記憶された映像コンテンツを視聴するような場合には、記憶媒体の表示画面情報に含まれる字幕情報を取得してもよい。
【０１０１】
また、上記第１〜第４実施形態では、表示装置の一例としてテレビジョン装置１０に本発明を適用した例を示したが、本発明はこれに限られない。本発明では、表示装置としてテレビジョン装置以外の表示装置に本発明を適用してもよい。たとえば、放送波を受信する受信部（チューナ）を有しないディスプレイ装置などの表示装置に本発明を適用してもよい。なお、放送波を受信する受信部（チューナ）を有しないディスプレイ装置において、字幕情報を放送波から取得する場合には、放送波を受信する受信部（チューナ）を有しないディスプレイ装置と外付けのチューナとを組み合わせればよい。
【０１０２】
また、上記第１〜第４実施形態では、各々、字幕情報を記憶する処理、字幕の大きさを変更する処理、複数の言語のうちから投影する字幕を選択する処理、および、音声情報を作成する処理をプロジェクタ２０（１２０、２２０、３２０）の制御部２６（１２６、２２６、３２６）により行った例を示したが、本発明はこれに限られない。本発明では、上記の処理を、テレビジョン装置の制御部により行ってもよい。つまり、字幕情報に基づく字幕をプロジェクタの投影部により投影する処理以外の処理を、テレビジョン装置の制御部により行ってもよい。
【０１０３】
また、上記第１〜第４実施形態では、可視光を用いてプロジェクタ２０（１２０、２２０、３２０）に字幕情報を送信するように送信部１５を構成した例を示したが、本発明はこれに限られない。本発明では、可視光以外を用いてプロジェクタに字幕情報を送信するように送信部を構成してもよい。たとえば、赤外光、または、電磁波などを用いて字幕情報を送信するように送信部を構成してもよい。
【０１０４】
また、上記第１〜第４実施形態では、送信部１５を状態表示部により構成した例を示したが、本発明はこれに限られない。本発明では、送信部を状態表示部により構成しなくともよい。
【０１０５】
また、上記第１実施形態では、字幕情報に基づく字幕をテレビジョン装置１０の表示部１３外の上方の背景領域９０に投影するようにプロジェクタ２０を構成（配置）した例を示したが、本発明はこれに限られない。本発明では、字幕情報に基づく字幕をテレビジョン装置の表示部周辺の上方以外の背景領域に投影するようにプロジェクタを構成（配置）してもよい。
【０１０６】
また、上記第１実施形態では、記憶開始操作がユーザにより行われることによって、字幕情報再提供処理の記憶部２４による記憶が開始された例を示したが、本発明はこれに限られない。本発明では、記憶開始操作がユーザにより行われることなく、字幕情報再提供処理の記憶部による記憶が開始されてもよい。たとえば、記憶開始操作がユーザにより行われることなく、字幕情報を受信したことによって、字幕情報再提供処理の記憶部による記憶が開始されてもよい。
【０１０７】
また、上記第２実施形態では、字幕の大きさ変更処理をオンにする操作（字幕の大きさ変更操作）がユーザにより行われた場合に、字幕の大きさ変更処理が制御部１２６により行われた例を示したが、本発明はこれに限られない。本発明では、字幕の大きさ変更操作がユーザにより行われることなく、字幕の大きさ変更処理が制御部により行われてもよい。
【０１０８】
また、上記第３実施形態では、字幕情報に複数の言語が含まれる場合には、ユーザの操作に基づいて選択された言語の字幕情報に基づく字幕を投影部２５により投影する制御を行うように制御部２２６を構成した例を示したが、本発明はこれに限られない。本発明では、字幕情報に複数の言語が含まれる場合には、ユーザの操作に基づくことなく、複数の言語の字幕の各々を投影部により投影する制御を行うように制御部を構成してもよい。
【０１０９】
また、上記第１〜第４実施形態では、説明の便宜上、本発明の制御部２６（１２６、２２６、３２６）の処理を処理フローに沿って順番に処理を行うフロー駆動型のフローチャートを用いて説明したが、本発明はこれに限られない。本発明では、制御部２６（１２６、２２６、３２６）の処理動作を、イベントごとに処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【０１１０】
１０  テレビジョン装置（表示装置）
１１  受信部（表示装置側受信部）
１３  表示部
１５  送信部（状態表示部）
２０、１２０、２２０、３２０  プロジェクタ
２１  受信部（プロジェクタ側受信部）
２４  記憶部
２５  投影部
２６、１２６、２２６、３２６  制御部
１００、２００、３００、４００  文字表示システム
【図１】
2015192280.tif 000003
【図２】
2015192280.tif 000004
【図３】
2015192280.tif 000005
【図４】
2015192280.tif 000006
【図５】
2015192280.tif 000007
【図６】
2015192280.tif 000008
【図７】
2015192280.tif 000009
【図８】
2015192280.tif 000010
【図９】
2015192280.tif 000011
【図１０】
2015192280.tif 000012